(57)【特許請求の範囲】
【請求項１】
音声通信サービスを行う音声通信サービス手段と、
前記音声通信サービスと共にアプリケーションレイヤで処理され、前記音声通信サービスに対してシングル動作であるデータ通信サービスを行うデータ通信サービス手段と、
ブルートゥース通信の音声通信に関するプロファイルとデータ通信に関するプロファイルのマルチ動作を行うプロファイルサービス手段と、
前記音声通信サービス又はデータ通信サービスを実行中に、新たな音声通信サービス又はデータ通信サービスのための前記音声通信に関するプロファイル接続要求またはデータ通信に関するプロファイル接続要求を受信した時に、新たな音声通信に関するプロファイル接続可または新たなデータ通信に関するプロファイル接続可をプロファイルレイヤにて応答すると共に、前記プロファイルレイヤより上位の前記アプリケーションレイヤでの判断に基づき新たな音声通信サービス又はデータ通信サービス拒否を前記プロファイルレイヤにて応答する制御手段とを
具備することを特徴とする移動局。
【発明の詳細な説明】
【技術分野】
【０００１】
本発明は、移動通信機能およびブルートゥース（ＴＭ）通信機能を有する移動局に関する。
【背景技術】
【０００２】
（背景技術１）
腕時計型端末、携帯電話機、および基地局を備えた通信システムがある（例えば、特許文献１参照。）。この特許文献１の通信システムにあっては、腕時計型端末と携帯電話機間でブルートゥース通信、携帯電話機と基地局間で移動通信を行う。そして、データ通信やハンズフリー通話それぞれ単独のブルートゥース手順が記載されている。
【０００３】
（背景技術２）
端末装置、移動局、および基地局を備えた通信システムがある（例えば、特許文献２参照。）。この特許文献２の通信システムにあっては、端末装置と移動局間でブルートゥース通信、移動局と基地局間で移動通信を行う。そして、ＢＴ（ブルートゥース）のＤＵＮプロファイルによるデータ通信からＨＦＰプロファイルによる音声通信に切り替える手順が記載されている。その手順は、ＤＵＮプロファイルによるデータ通信中に、基地局から移動局へ音声着信呼出しがあると、移動局（ＢＴサーバ）がトリガとなって特殊な手順のデータサービス切断要求を端末装置（ＢＴクライアント）へ送信する。そして、移動局（ＢＴサーバ）および端末装置（ＢＴクライアント）は、ＤＵＮプロファイルによるデータ通信を切断し、ＨＦＰプロファイルによる音声通信に切り替えるものである。これにより、データ通信中に音声通信に移行することができる。
【特許文献１】特開２００２−１２５０３９号公報（第１０頁、第１２頁、図１３、図１６）
【特許文献２】特開２００５−１１００４８号公報（第１６〜２０頁、図６）
【発明の開示】
【発明が解決しようとする課題】
【０００４】
従来の特許文献１に開示された通信システムでは、データ通信やハンズフリー通話それぞれが終了してから次のデータ通信やハンズフリー通話に移行することはできるが、データ通信やハンズフリー通話の通信中において、次のデータ通信やハンズフリー通話に移行する記載はない。  
従来の特許文献２に開示された通信システムでは、移動局（ＢＴサーバ）からのデータサービス切断要求であり、移動局（ＢＴサーバ）と端末装置（ＢＴクライアント）は共に、特殊な手順のデータサービス切断要求を備える必要がある。また、移動局（ＢＴサーバ）は、基地局から移動局へ音声着信呼出しがあると、データ通信中の都合に関わらず、データ通信を切断して無条件で音声通信に切り替えている。そのため、データ通信の内容によっては問題となることもある。また、端末装置（ＢＴクライアント）からのデータサービス切断要求についての記載はない。
【０００５】
本発明は、上記の問題点を解決するためになされたもので、データ通信や音声通信の通信中において、ＢＴクライアント（ＢＴ端末）から次のデータ通信や音声通信の接続要求が到来すると、ＢＴサーバ（移動局）は、現在通信中のデータ通信や音声通信の都合を判断して前記接続要求を受け入れるかどうかを決めることができる移動局を提供することを目的とする。
【課題を解決するための手段】
【０００６】
上記目的を達成するために、本発明の移動局は、音声通信サービスを行う音声通信サービス手段と、前記音声通信サービスと共にアプリケーションレイヤで処理され、前記音声通信サービスに対してシングル動作であるデータ通信サービスを行うデータ通信サービス手段と、ブルートゥース通信の音声通信に関するプロファイルとデータ通信に関するプロファイルのマルチ動作を行うプロファイルサービス手段と、前記音声通信サービス又はデータ通信サービスを実行中に、新たな音声通信サービス又はデータ通信サービスのための前記音声通信に関するプロファイル接続要求またはデータ通信に関するプロファイル接続要求を受信した時に、新たな音声通信に関するプロファイル接続可または新たなデータ通信に関するプロファイル接続可をプロファイルレイヤにて応答すると共に、前記プロファイルレイヤより上位の前記アプリケーションレイヤでの判断に基づき新たな音声通信サービス又はデータ通信サービス拒否を前記プロファイルレイヤにて応答する制御手段とを具備することを特徴とする。
【発明の効果】
【０００７】
本発明によれば、データ通信や音声通信の通信中において、ＢＴクライアント（ＢＴ端末）から次のデータ通信や音声通信の接続要求が到来すると、ＢＴサーバ（移動局）は、現在通信中のデータ通信や音声通信の都合を判断して前記接続要求を受け入れるかどうかを決めることが可能となる。
【発明を実施するための最良の形態】
【０００８】
図１は、本発明の各実施例に係る通信システムの構成図である。通信システムは、ハンズフリーユニット１００、パソコン２００（パーソナルコンピュータ）、携帯電話３００（移動局）、移動通信の基地局４００などから構成される。ハンズフリーユニット１００とパソコン２００は、ブルートゥース通信機能を有するＢＴ（ブルートゥース）端末である。ハンズフリーユニット１００は、マイクロホンとスピーカを有して、ブルートゥース通信によるハンズフリー通話を行う。また、ハンズフリーユニット１００は、データ通信機能を備えてもよい。パソコン２００は、データ通信機能を有して、ブルートゥース通信によるデータ通信を行う。また、パソコン２００は、通話機能を備えてもよい。
【０００９】
携帯電話３００は、移動通信機能およびブルートゥース通信機能を有し、移動通信基地局４００との間で移動通信を行うと共に、ＢＴ端末との間でＢＴ通信を行う。携帯電話３００のブルートゥース通信機能は、複数のＢＴプロファイルをマルチ動作させることができるものとする。また、携帯電話３００は、ブルートゥース通信レイヤの上位のアプリケーションレイヤとして、音声通信機能およびデータ通信機能を有するが、この両機能についてはマルチ動作はできず、シングル動作しかできないものとする。  
なお、ＢＴ端末は、ハンズフリーユニット１００やパソコン２００に限らず、他のＢＴ機能を有する端末であってもよい。また、移動局は、携帯電話３００に限らず、他の移動局であってもよい。
【００１０】
図２は、本発明の各実施例に係る携帯電話の関連部分のブロック図である。携帯電話３００は、マイクロホン１、スピーカ２、キー入力部３、表示部４、主制御部５、移動通信部６、アンテナ７、ＢＴ通信部８、アンテナ９、音声通信サービス部１０、データ通信サービス部１１、ＨＦＰサービス部１２、ＤＵＮサービス部１３、ＢＴサービス制御部１４などから構成される。マイクロホン１とスピーカ２は、ユーザとの間の音声入出力インターフェースである。キー入力部３と表示部４は、ユーザとの間の操作および表示インターフェースである。主制御部５は、携帯電話３００の全体制御を行う。移動通信部６とアンテナ７は、基地局４００との間で移動通信の無線処理を行う。ＢＴ通信部８とアンテナ９は、ＢＴ端末との間でＢＴ通信の無線処理を行う。
【００１１】
音声通信サービス部１０は、音声通信サービスを行う。データ通信サービス部１１は、データ通信サービスを行う。この音声通信サービスとデータ通信サービスは、携帯電話３００の上位アプリケーションレイヤの処理であり、この両機能についてはマルチ動作はできず、シングル動作しかできないものとする。これは、この両機能はリソース負担が大きいために、マルチ動作を行うためには、ハードウェア、ソフトウェアの増大を招くからである。
【００１２】
ＨＦＰサービス部１２は、音声通信サービス用に定義されたＢＴプロファイルであるＨＦＰ（（Hands Free Profile）のサービス制御を行う。ＤＵＮサービス部１３は、データ通信サービス用に定義されたＢＴプロファイルであるＤＵＮ（Dial Up Network）のサービス制御を行う。このプロファイルのマルチ動作については、BT Multi-Profile Technical Reference(MCPC)において、接続確立手順が規格化されており、携帯電話３００は、プロファイルのマルチ動作ができるものとする。ＢＴサービス制御部１４は、音声通信、データ通信の使用状態を管理し、新たなＤＵＮ接続要求もしくはＨＦＰ接続要求に対するＢＴサービスの統括制御を行う。
【実施例１】
【００１３】
図３は、本発明の実施例１に係る通信システムのシーケンス図である。実施例１は、通話中に新たに到来したデータ通信の要求を拒否する例である。まず、ＢＴ端末の１つであるハンズフリーユニット１００は、ＢＴクライアントとして、音声通信のためのＨＦＰ接続要求Ｓ１を携帯電話３００に送信する。携帯電話３００は、ＢＴサーバとして、下位のＢＴレイヤがＢＴ通信の処理を行う。ＢＴレイヤは、ＨＦＰ接続要求Ｓ１を受信すると、ＨＦＰ接続ＯＫ信号Ｓ２をハンズフリーユニット１００へ返信する。そして、ＨＦＰ手順Ｓ３が繋がる。そして、携帯電話３００の上位のアプリレイヤは、音声通信サービス処理を行い、ハンズフリーユニット１００、携帯電話３００、基地局４００を経由した通話中処理Ｓ４に入り、ユーザは、ハンズフリーユニット１００を使って、通話相手の図示しない電話機との間で通話を行う。
【００１４】
次に、通話中Ｓ４中に、ＢＴ端末の１つであるパソコン２００が、ＢＴクライアントとして、データ通信のためのＤＵＮ接続要求Ｓ５を携帯電話３００に送信したとする。携帯電話３００は、現在通話中Ｓ４であり、図示しないが、ＢＴレイヤは、上位のアプリレイヤから、現在通話中であることを入手しておく。携帯電話３００のＢＴレイヤは、ＤＵＮ接続要求Ｓ５を受信すると、ＢＴプロファイルのマルチ動作は可能でありＤＵＮ接続そのものは接続可能ではあるが、上位のアプリレイヤは現在通話中Ｓ４でありデータ通信とのマルチ動作はできないため、ＤＵＮ接続ＮＧ信号Ｓ６をパソコン２００に返信する。パソコン２００は、ＤＵＮ接続ＮＧ信号Ｓ６を受信することで、データ通信が不可能であることを理解することができる。
【００１５】
実施例１によれば、ＢＴクライアント（ＢＴ端末）からの新たなＢＴの接続要求に対して、ＢＴサーバ（移動局）は、ＢＴのマルチプロファイル動作が可能であっても、ＢＴの接続ＮＧを応答することにより、新たなデータ通信または音声通信を受け入れられないことをＢＴクライアント（ＢＴ端末）に通知することができる。
【実施例２】
【００１６】
図４は、本発明の実施例２に係る通信システムのシーケンス図である。実施例２は、通話中に新たに到来したデータ通信の要求を拒否する例である。実施例１の図３と同じシーケンスについては同じシーケンス番号を付して、異なる箇所を主に説明する。通話中Ｓ４中に、パソコン２００が、ＤＵＮ接続要求Ｓ５を携帯電話３００に送信したとする。携帯電話３００は、ＢＴプロファイルのマルチ動作は可能でありＤＵＮ接続そのものは接続可能なため、ＢＴレイヤは、一旦、ＤＵＮ接続ＯＫ信号Ｓ１６をパソコン２００へ返信する。同時に、ＢＴレイヤは、上位のアプリレイヤに対して、データ通信要求Ｓ１７を送信する。
【００１７】
アプリレイヤは、現在通話中Ｓ４中であり、データ通信とのマルチ動作はできないため、ＮＧ信号Ｓ１８をＢＴレイヤに返信する。ＢＴレイヤは、これを受信すると、データ通信拒否Ｓ１９をパソコン２００へ送信する。パソコン２００は、データ通信拒否Ｓ１９を受信することで、データ通信が不可能であることを理解することができる。
【００１８】
実施例２によれば、ＢＴクライアント（ＢＴ端末）からの新たなＢＴの接続要求に対して、ＢＴサーバ（移動局）は、一旦、ＢＴの接続ＯＫを応答し、上位アプリレイヤの状態を確認してから通信拒否を送信することにより、新たなデータ通信または音声通信を受け入れられないことをＢＴクライアント（ＢＴ端末）に通知することができる。
【実施例３】
【００１９】
図５は、本発明の実施例３に係る通信システムのシーケンス図である。実施例３は、通話を途中で切断してデータ通信に移行する例である。実施例１の図３と同じシーケンスについては同じシーケンス番号を付して、異なる箇所を主に説明する。通話中Ｓ４中に、パソコン２００が、ＤＵＮ接続要求Ｓ５を携帯電話３００に送信したとする。携帯電話３００のＢＴレイヤは、終話要求Ｓ２６をアプリレイヤに送信する。アプリレイヤは、終話要求Ｓ２６があったことを表示部４に表示したり、図示しないバイブレータやスピーカなどで報知する（Ｓ２７）。また、図示しないが、通話中のシーケンスＳ４の中で、図示しないミックス回路等により終話要求音声信号をミックスしてハンズフリーユニット１００へ送信してもよい。ユーザはそれらを見聞きして、終話に同意する決定キーを押下すると、それが検出される（Ｓ２８でＹＥＳ）。決定キーが押下されないでタイムアウトした場合もシーケンスＳ２８でＹＥＳの処理へ進む。その後、基地局４００との間で終話手順を行う（Ｓ２９）。そして、ＯＫ信号Ｓ３０をＢＴレイヤに返信する。
【００２０】
ＢＴレイヤは、終話要求が受け入れられたので、通話用のＨＦＰの切断要求Ｓ３１をハンズフリーユニット１００に送信する。ハンズフリーユニット１００は、ＨＦＰ切断ＯＫ信号Ｓ３２をＢＴレイヤへ返信する。ＢＴレイヤはこれを受けて、先のＤＵＮ接続要求Ｓ５に対するＤＵＮ接続ＯＫ信号Ｓ３３をパソコン２００へ返信する。そして、ＤＵＮ手順Ｓ３４が繋がる。そして、パソコン２００は、ＡＴコマンドＳ３５をＢＴレイヤへ送信する。ＢＴレイヤは、ＯＫ信号Ｓ３６をパソコン２００へ返信すると共に、発信要求Ｓ３７をアプリレイヤへ送信する。そして、アプリレイヤは、ＯＫ信号Ｓ３８をＢＴレイヤへ返信し、データ通信サービス処理を行う。これにより、パソコン２００、携帯電話３００、基地局４００を経由したデータ通信中処理Ｓ３９に入り、パソコン２００と図示しないデータ通信相手との間でデータ通信を行う。
【００２１】
実施例３によれば、データ通信や音声通信の通信中において、ＢＴクライアント（ＢＴ端末）が次のデータ通信や音声通信の接続要求を出すと共に、ＢＴサーバ（移動局）は、ＢＴのマルチプロファイル機能および、現在通信中のデータ通信や音声通信の都合を判断して前記接続要求を受け入れるかどうかを決めることが可能となる。
【００２２】
なお、各実施例において、ＢＴ端末の１つであるハンズフリーユニット１００がＨＦＰ接続要求Ｓ１を送信し、ＢＴ端末の別の１つであるパソコン２００がＤＵＮ接続要求Ｓ５を送信したが、どちらが行っても良いし、または同じＢＴ端末がＨＦＰ接続要求Ｓ１とＤＵＮ接続要求Ｓ５を送信してもよい。この同じＢＴ端末がＨＦＰ接続要求Ｓ１とＤＵＮ接続要求Ｓ５を送信する場合には、携帯電話３００は、同じＢＴ端末に対応することになるため、ＢＴの物理リンクは共通で、論理リンクは多重化して処理を行う。  
また、ＨＦＰプロファイルに限らず、音声通信に関するプロファイルでもよい。ＤＵＮプロファイルに限らず、データ通信に関するプロファイルでもよい。  
また、各実施例において、先に通話中であって、その後、データ通信の要求が到来したが、その逆であってもよい。
【図面の簡単な説明】
【００２３】
【図１】本発明の各実施例に係る通信システムの構成図。
【図２】本発明の各実施例に係る携帯電話の関連部分のブロック図。
【図３】本発明の実施例１に係る通信システムのシーケンス図。
【図４】本発明の実施例２に係る通信システムのシーケンス図。
【図５】本発明の実施例３に係る通信システムのシーケンス図。
【符号の説明】
【００２４】
１  マイクロホン
２  スピーカ
３  キー入力部
４  表示部
５  主制御部
６  移動通信部
７  アンテナ
８  ＢＴ通信部
９  アンテナ
１０  音声通信サービス部
１１  データ通信サービス部
１２  ＨＦＰサービス部
１３  ＤＵＮサービス部
１４  ＢＴサービス制御部
１００  ハンズフリーユニット
２００  パソコン
３００  携帯電話
４００  移動通信基地局
【図１】
0004794996.tif 000002
【図２】
0004794996.tif 000003
【図３】
0004794996.tif 000004
【図４】
0004794996.tif 000005
【図５】
0004794996.tif 000006